(57)【要約】      （修正有）【課題】衝撃による損傷の防止、又は、爪クラッチの瞬間回転が生じる衝撃及び摩擦を回避し、騒音を低減する。【解決手段】回転軸を有するクラッチ構造に用いられる爪クラッチ１に関し、噛み合う爪１０と、ベース部１１と、少なくとも２つの弾性部１２とを備える。ベース部は、噛み合う爪に対向し、且つ外周縁１１０を有する。噛み合う爪とベース部とが回転軸と同軸に設けられる。各弾性部は、弾性力を提供するように、少なくとも部分的に噛み合う爪の外周縁の一部の周りに配置される。各弾性部は、異なる両端部にある第１端部１２１及び第２端部１２２を有し、第１端部は、ベース部と接続され且つ外周縁から延び出し、第２端部は噛み合う爪と接続され、且つ第１端部と第２端部との間に、少なくとも１つの圧縮可能な屈曲構造１２３を有する。これによって、弾性部を介して、噛み合う爪とベース部との間の軸方向の弾性力及びねじれ弾性力を提供する。【選択図】図３
2020085230.tif 000002
【特許請求の範囲】
【請求項１】
クラッチ構造に用いられる爪クラッチであって、前記クラッチ構造は回転軸を有し、
前記爪クラッチは、噛み合う爪と、ベース部と、少なくとも２つの弾性部とを備え、
前記ベース部は、前記噛み合う爪に対向し、且つ外周縁を有し、前記噛み合う爪と前記ベース部とが、前記回転軸と同軸に設けられ、
各前記弾性部は、弾性力を提供するように、少なくとも部分的に噛み合う爪の外周縁の一部の周りに配置され、各前記弾性部は、異なる両端部にある第１端部及び第２端部を有し、前記第１端部は、前記ベース部と接続され且つ前記外周縁から延び出し、前記第２端部は、前記噛み合う爪と接続され、且つ、前記第１端部と前記第２端部との間に、少なくとも１つの圧縮可能な屈曲構造を有する爪クラッチ。
【請求項２】
前記回転軸が、前記ベース部と前記噛み合う爪とを貫通して設けられ、且つ前記ベース部が前記回転軸に緊密嵌め合わせる請求項１に記載の爪クラッチ。
【請求項３】
前記ベース部は、開孔と複数のスリットとを有し、前記複数のスリットは、前記開孔の周りに周設され、且つ前記開孔と連通され、前記回転軸が前記開孔を貫通して設けられる請求項２に記載の爪クラッチ。
【請求項４】
前記噛み合う爪は、本体と爪状体とを有し、前記爪状体は、前記本体よりも突出して設けられ、且つ前記回転軸が前記本体を貫通して設けられる請求項１に記載の爪クラッチ。
【請求項５】
各前記弾性部は、少なくとも部分的に前記本体の一部の周りに配置され、且つ各前記弾性部の前記第２端部は前記爪状体に当接する請求項４に記載の爪クラッチ。
【請求項６】
前記噛み合う爪と、前記ベース部と、前記少なくとも２つの弾性部とが、一体化される請求項１に記載の爪クラッチ。
【請求項７】
前記少なくとも２つの弾性部の個数は２個であり、且つ２つの弾性部にある前記第１端部は、前記回転軸に対して対称に設けられ、且つベース部の前記外周縁から延び出す、請求項１に記載の爪クラッチ。
【請求項８】
前記少なくとも１つの屈曲構造は、Ｃ形状湾曲構造又はＳ形状湾曲構造である請求項１に記載の爪クラッチ。
【請求項９】
クラッチ構造であって、ローラーペアリングと、回転軸と、爪クラッチとを備え、
前記回転軸は、前記ローラーペアリングを貫通して設けられ、
前記爪クラッチは、噛み合う爪と、ベース部と、少なくとも２つの弾性部とを備え、
前記ベース部は、前記噛み合う爪に対向し、且つ外周縁を有し、前記噛み合う爪と前記ベース部とが、前記回転軸と同軸に設けられ、
各前記弾性部は、弾性力を提供するように、少なくとも部分的に噛み合う爪の外周縁の一部の周りに配置され、
各前記弾性部は、異なる両端部にある第１端部及び第２端部を有し、前記第１端部は、前記ベース部と接続され且つ前記外周縁から延び出し、前記第２端部は、前記噛み合う爪と接続され、且つ、前記第１端部と前記第２端部との間に、少なくとも１つの圧縮可能な屈曲構造を有する、クラッチ構造。
【請求項１０】
留めくぎを更に備え、
前記留めくぎは、前記回転軸を貫通し、且つ、前記爪クラッチに当接する、請求項９に記載のクラッチ構造。
【発明の詳細な説明】
【技術分野】
【０００１】
本発明は、爪クラッチ及びそれを用いるクラッチ構造に関し、特に、弾性特徴を有する爪クラッチ及びそれを用いるクラッチ構造に関する。
【背景技術】
【０００２】
近年販売されている多機能オフィス機器又はプリンタでは、給紙機構内の用紙を追加しやすいために、殆どの場合、引き出し式の用紙トレイを採用している。この給紙機構における給紙ローラーには、伝動システムの回転を伝達したり遮断したりする必要がある。通常、給紙ローラーの末端には、伝動システムと係合・分離できる爪クラッチが設けられる。分離する際には、給紙ローラーに動力が伝達されず、係合する際には、給紙動力が給紙ローラーに伝達され、円滑に給紙することができる。
【０００３】
爪クラッチは、伝動システムに係合する時、爪クラッチは、ランダムな角度で伝動システムと係合されるので、衝突が発生する場合がある。爪クラッチが衝突することによる損傷を回避するために、従来技術では、係合・分離機構が爪クラッチとバネと金属バックルとを備えるように設け、且つ、バネの弾性力で衝突力を吸収するように、バネが金属バックルと爪クラッチとの間に設けられる。
【０００４】
しかしながら、従来の爪クラッチとバネとの設計は、爪クラッチが回転する際、バネと金属バックルとの間での摩擦、又はバネと爪クラッチとの接触面での摩擦がしばしば発生し、騒音が発生する場合がある。また、バネが長時間使用した後、弾性力が弱くなることもある。
したがって、従来技術の問題点や欠点を改善でき、又は、爪クラッチの係合・分離及び回転の際に生じる衝突・摩擦を回避して騒音を低減させるとともに、長期使用後の弾性減衰を回避できる、従来技術と異なる爪クラッチ及びそれを用いるクラッチ構造を提供することは、当該技術領域における重要な課題であると考えられる。
【発明の概要】
【発明が解決しようとする課題】
【０００５】
本発明は、先行技術による課題及び欠点を解決するための爪クラッチ及びそれを用いるクラッチ構造を提供することを目的とする。
【０００６】
本発明のもう一つの目的は、爪クラッチ及びそれを用いるクラッチ構造を提供することである。かかる爪クラッチでは、弾性部を介して、噛み合う爪とベース部とを連結させ、弾性部では、噛み合う爪とベース部との間の弾性力を提供し、衝撃による損傷を防止することができる。また、弾性部では、噛み合う爪とベース部との間のねじれ弾性力を提供し、爪クラッチの瞬間回転が生じる衝撃及び摩擦を回避し、且つ、回転の際に、噛み合う爪が弾性部を連動して、回転軸とともに同期回転し、騒音を低減する効果を達成することができる。
【０００７】
本発明のもう一つの目的は、爪クラッチ及びそれを用いるクラッチ構造を提供することであり、圧縮可能な屈曲構造を有する弾性部を設けることによって、弾性ポテンシャルエネルギーを蓄積する時、応力を均等に分散させることができ、応力集中を低減して、長期使用後の弾性減衰を回避することができる。
本発明のもう一つの目的は、爪クラッチのベース部と回転軸とが緊密嵌め合わせられることによって、生じる圧力では、爪クラッチが圧縮される時に発生する軸方向の応力に抗することができる爪クラッチ及びそれを用いるクラッチ構造を提供することである。また、可撓性を有する弾性腕の設計によって、噛み合う爪とベース部と弾性部とを一体化させ、クラッチ構造の部品点数が減少され、組み立てが簡単になる。
【課題を解決するための手段】
【０００８】
上述の目的を達成するために、本発明の一つの好ましい実施形態では、爪クラッチを提供し、前記爪クラッチは、クラッチ構造に用いられ、前記クラッチ構造は回転軸を有する。前記爪クラッチは、噛み合う爪と、ベース部と、少なくとも２つの弾性部とを備え、前記ベース部は、前記噛み合う爪に対向し、かつ外周縁を有し、前記噛み合う爪と前記ベース部とが回転軸と同軸に設けられ、各前記弾性部は、弾性力を提供するように、少なくとも部分的に噛み合う爪の外周縁の一部の周りに配置され、各前記弾性部は、異なる両端部にある第１端部及び第２端部を有し、前記第１端部は、前記ベース部と接続され且つ前記外周縁から延び出し、前記第２端部は、前記噛み合う爪と接続され、且つ、前記第１端部と前記第２端部との間に、少なくとも１つの圧縮可能な屈曲構造を有する。
【０００９】
上述の目的を達成するために、本発明の一つの好ましい実施形態では、クラッチ構造を提供し、ローラーペアリングと、回転軸と、爪クラッチとを備え、前記回転軸は、前記ローラーペアリングを貫通して設けられ、前記爪クラッチは、噛み合う爪と、ベース部と、少なくとも２つの弾性部とを備え、前記ベース部は、前記噛み合う爪に対向し、且つ外周縁を有し、前記噛み合う爪と前記ベース部とが、前記回転軸と同軸に設けられ、各前記弾性部は、弾性力を提供するように、少なくとも部分的に噛み合う爪の外周縁の一部の周りに配置され、各前記弾性部は、異なる両端部にある第１端部及び第２端部を有し、前記第１端部は、前記ベース部と接続され且つ前記外周縁から延び出し、前記第２端部は、前記噛み合う爪と接続され、且つ、前記第１端部と前記第２端部との間に、少なくとも１つの圧縮可能な屈曲構造を有する。
【図面の簡単な説明】
【００１０】
【図１】図１は本発明における好ましい実施例の爪クラッチ及びそれを用いるクラッチ構造の構造概念図である。
【図２】図２は本発明における好ましい実施例の爪クラッチ及びそれを用いるクラッチ構造を分解した構造概念図である。
【図３】図３は本発明における好ましい実施例の爪クラッチの構造概念図である。
【図４】図４は図３に示されている爪クラッチを別の視点から見た構造概念図である。
【発明を実施するための形態】
【００１１】
本発明の特徴及び優れる点を具体化にするためのいくつの例示的な実施形態は、以下において詳細に説明する。なお、本発明は、様々な形態において変更可能であり、いずれも本発明の範囲内であり、また、説明及び図面に示されている形態は、本願発明を説明するためのものであり、本発明の範囲を限定するものではない。
【００１２】
図１〜図４を参照されたい。図１は本発明における好ましい実施例の爪クラッチ及びそれを用いるクラッチ構造の構造概念図であり、図２は本発明における好ましい実施例の爪クラッチ及びそれを用いるクラッチ構造を分解した構造概念図であり、図３は本発明における好ましい実施例の爪クラッチの構造概念図であり、図４は図３に示されている爪クラッチを別の視点から見た構造概念図である。図１〜図４に示すように、本発明における好ましい実施例の爪クラッチ１は、クラッチ構造２に適用され、且つクラッチ構造２が回転軸２０を備え、前記クラッチ構造２は紙を転送する給紙ローラー構造であり、ただし、これには限定されない。
【００１３】
爪クラッチ１は、噛み合う爪１０と、ベース部１１と、少なくとも２つの弾性部１２とを備え、前記噛み合う爪１０は伝動システムに用いられる嵌合係合部材であり、ただし、これには限定されない。ベース部１１は噛み合う爪１０に対向し、且つ外周縁１１０を有する。噛み合う爪１０とベース部１１とが、回転軸２０と同軸になるように設けられる。各弾性部１２は、弾性力を提供できるように、少なくとも一部が噛み合う爪１０の外周縁の部分を噛み合う。いくつの実施例においては、噛み合う爪１０と、ベース部１１と、前記弾性部１２とが一体化にされ、例えば、三次元構造に積層して一体化されて得られ、ただし、これには限定されない。
【００１４】
各弾性部１２は、異なる両端部にある第１端部１２１と第２端部１２２とを有し、第１端部１２１はベース部１０と接続され、且つ第１端部１２１は、ベース部１０の外周縁１１０から延び出す。第２端部１２２は、噛み合う爪１０と接続され、且つ第１端部１２１と第２端部１２２との間に、圧縮可能な少なくとも１つの屈曲構造１２３とを有し、すわなち、第１端部１２１は、屈曲構造１２３を介して、第２端部１２２と接続され、前記少なくとも１つの屈曲構造１２３は、Ｃ形状湾曲構造又はＳ形状湾曲構造であり、ただし、これには限定されない。これによって、弾性部１２を介して、噛み合う爪１０とベース部１１との間の軸方向の弾性力及びねじれ弾性力を提供することができる。
【００１５】
具体的に、第１端部１２１は、軸方向に沿ってベース部１０の外周縁１１０より延び出し、且つ、屈曲構造１２３の一端に接続され、屈曲構造１２３の他端が軸方向に沿って延伸し、第２端部１２２に接続される。応力を均一に分散させ且つトルクを提供するように、屈曲構造１２３の一端が第１端部１２１に湾曲連結され、且つ屈曲構造１２３の他端が第２端部１２２に湾曲連結される。
【００１６】
換言すれば、本発明に係る爪クラッチ及びそれを用いるクラッチ構造では、弾性部を介して、噛み合う爪とベース部とを連結することによって、弾性部が噛み合う爪とベース部との軸方向の弾性力を提供することができ、衝突による損害を防止することができる。また、弾性部では、噛み合う爪とベース部との間のねじれ弾性力を提供することができ、爪クラッチの瞬間回転が生じる衝撃及び摩擦を回避することができ、且つ、回転の際に、噛み合う爪が弾性部を連動して、回転軸とともに同期回転し、騒音を低減する効果を達成することができる。さらに、爪クラッチ及びそれを用いるクラッチ構造を提供することであり、圧縮可能な屈曲構造を有する弾性部を設けることによって、弾性ポテンシャルエネルギーを蓄積する時、応力を均等に分散させることができ、応力集中を低減して、長期使用後の弾性減衰を回避することができる。
【００１７】
本発明に係るクラッチ構造２の回転軸２０の一端は、爪クラッチ１のベース部１１と噛み合う爪１０とを貫通して設けられ、且つベース部１１は、回転軸２０と緊密嵌め合わせる。いくつの実施例においては、ベース部１１は、開孔１１１と複数のスリット１１２とを有し、複数のスリット１１２は、開孔１１１の周りに周設され、且つ複数のスリット１１２は開孔１１１に連通され、回転軸２０は開孔１１１を貫通して設けられる。複数のスリット１１２は、開孔１１１の大きさが若干大きくなるように開孔１１１に連通されているので、開孔１１１を回転軸２０に緊密嵌め合わせ、且つ圧力を生じさせ、ベース部１１と回転軸２０とが相対回転しないことを確保する。
【００１８】
いくつの実施例においては、爪クラッチ１の噛み合う爪１０は、本体１００と爪状体１０１とを有し、爪状体１０１は、伝動システムと配合係合するように本体１００より突き出し、回転軸２０は、本体１００に穿設される。また、各弾性部１２は、少なくとも部分的に噛み合う爪１０の本体１００の一部の周りに周設され、且つ、各弾性部１２の第２端部１２２は、爪状体１０１に当接して、弾性力をより安定に提供する。
【００１９】
いくつの実施例においては、当該弾性部１２の個数は２個であり、且つ２つの弾性部１２の第１端部１２１は、回転軸２０に対して対称に設けられ、且つベース部１１の外周縁１１０から延び出すように設けられる。これによって、噛み合う爪１０とベース部１１との相対過回転返事が生じる場合に、軸方向の弾性力及びねじれ弾性力が安定且つ均等に与えられる。
【００２０】
すなわち、本発明の爪クラッチ及びそれを用いるクラッチ構造は、爪クラッチにおけるベース部と回転軸との緊密嵌め合わせによって、生じられた圧力で、爪クラッチの圧縮時に発生する軸方向の応力に耐えることができる。可撓性を有する弾性腕の設計によって、噛み合う爪とベース部と弾性部とを一体化させ、クラッチ構造の部品点数が減少し、組み立てが簡単になる。
【００２１】
図１〜図４に示すように、本発明の好ましい実施例におけるクラッチ構造２は、ローラーペアリング２１と、回転軸２０と、爪クラッチ１とを備え、ローラーペアリング２１は、例としての給紙ローラーを示しているが、これには限定されない。回転軸２０は、ローラーペアリング２１を貫通して設けられている。爪クラッチ１は、噛み合う爪１０と、ベース部１１と、少なくとも２つの弾性部１２とを備える。ベース部１１は、噛み合う爪１０に対向して設けられ、外周縁１１０を有し、噛み合う爪１０とベース部１１とが回転軸２０の一端に同軸に設けられる。各弾性部１２は、弾性力を提供するように、少なくとも部分的に噛み合う爪１０の外周の一部の周りに周設される。噛み合う爪１０、ベース部１１と、弾性部１２とが一体化されるが、これには限定されない。弾性部１２詳細な構造については詳細に説明したので、ここでは説明しない。
【００２２】
いくつの実施例においては、クラッチ構造２は、留めくぎ２２を更に備え、留めくぎ２２は、回転軸２０を貫通して設けられ、且つ爪クラッチ１に当接する。これによって、爪クラッチ１が回転する際、回転軸２０とローラーペアリング２１とを連動させる。回転軸２０の一端には、環状溝２００と穴２０１とが形成されている。爪クラッチ１のベース部１１は、当該環状溝２００を穿設し、留めくぎ２２は、穴２０１を貫通して爪クラッチ１に当接することによって、クラッチ構造２の取付はより安定になるが、これには限定されない。
【００２３】
以上のように、本発明は本発明爪クラッチ及びそれを用いるクラッチ構造を提供する。爪クラッチでは、弾性部を介して、噛み合う爪とベース部とを連結させることにより、弾性部が噛み合う爪とベース部との間の軸方向の弾性力を提供することができ、衝突よる損傷を防止することができる。同時に、弾性部が噛み合う爪とベース部との間のねじれ弾性力を提供することができ、爪クラッチの瞬間回転が生じる衝撃及び摩擦を回避し、且つ、回転の際に、噛み合う爪が弾性部を連動して、回転軸とともに同期回転し、騒音を低減する効果を達成することができる。また、圧縮可能な屈曲構造を有する弾性部を設けることによって、弾性ポテンシャルエネルギーを蓄積する時、応力を均等に分散させることができ、応力集中を低減して、長期使用後の弾性減衰を回避することができる。さらに、爪クラッチのベース部と回転軸とが緊密嵌め合わせられることによって、生じる圧力では、爪クラッチが圧縮される時に発生する軸方向の応力に抗することができる爪クラッチ及びそれを用いるクラッチ構造を提供することである。また、可撓性を有する弾性腕の設計によって、噛み合う爪とベース部と弾性部とを一体化させ、クラッチ構造の部品点数が減少され、組み立てが簡単になる。
【００２４】
本発明は、上述した実施例によって詳細に説明したが、当業者であれば、本願明細書を参照して任意変更することができ、いずれも添付されている特許請求の範囲内である。
【符号の説明】
【００２５】
１：爪クラッチ
１０：噛み合う爪
１００：本体
１０１：爪状体
１１：ベース部
１１１：開孔
１１２：スリット
１１０：外周縁
１２：弾性部
１２１：第１端部
１２２：第２端部
１２３：屈曲構造
２：クラッチ構造
２０：回転軸
２００：環状溝
２０１：穴
２１：ローラーペアリング
２２：留めくぎ
【図１】
2020085230.tif 000003
【図２】
2020085230.tif 000004
【図３】
2020085230.tif 000005
【図４】
2020085230.tif 000006
【外国語明細書】
2020085230000001.pdf